【事件の表示】
　特願２０１１−　６５３１８「モリブデン−９９の溶出効率を最大化するためのカラムの幾何学的形状」拒絶査定不服審判事件〔平成２３年１１月　４日出願公開、特開２０１１−２２１０１１、請求項の数（９）〕について、次のとおり審決する。
【結　論】
　原査定を取り消す。
　本願の発明は、特許すべきものとする。
【理　由】
第１　手続の経緯
　本願は、平成２３年３月２４日（パリ条約による優先権主張　２０１０年（平成２２年）４月７日，アメリカ合衆国）の特許出願であって、その手続の経緯は以下のとおりである。
　平成２６年１２月２２日付け　拒絶理由の通知
　平成２７年　３月３１日　　　意見書、手続補正書の提出
　平成２７年　７月２８日付け　拒絶査定（同年８月４日送達）
　平成２７年１２月　１日　　　審判請求、手続補正
第２　平成２７年１２月１日付けの手続補正（以下、「本件補正」という。）の適否
１　補正の内容
　本件補正は、特許請求の範囲の請求項１を、
「放射性物質（１６０）を溶出するシステム（１００）であって、
　前記放射性物質（１６０）を囲むように構成される溶出カラム（１０５、１０５’、１０５”）と、
　前記溶出カラム（１０５）の第１の端部（１１１）を封止する第１の封止部材（１１０）と、
　前記溶出カラム（１０５）の第２の端部（１１２）を封止する第２の封止部材（１２０）と、
　第１の流体連通路（２２）を介して前記溶出カラム（１０５）の前記第１の端部（１１１）に接続した溶出溶液供給源（２０）と、
　第２の流体連通路（４２）を介して前記溶出カラム（１０５）の前記第２の端部（１１２）に接続した捕集システム（４０）と、
　前記放射性物質（１６０）を支持し、前記放射性物質（１６０）が前記第２の流体連通路（４２）に接触するのを防ぐように構成される、前記溶出カラム（１０５）内のフィルタ（１５０）と、
　前記溶出カラム（１０５）の内側壁に螺旋状に取り付けた複数のフロートリッパ（１７０）と、
を備える、システム（１００）。」
と補正するものである（以下、「補正事項１」という。）。
２　補正の適否
　本件補正の補正事項１は、請求項１に記載した発明を特定するために必要な事項である「内側壁に取り付けた複数のフロートリッパ」について、その取付け形態を「螺旋状に」との限定を付加するものであって、補正前の請求項１に記載された発明と補正後の請求項１に記載された発明の産業上の利用分野及び解決しようとする課題が同一であるから、特許法第１７条の２第５項第２号の特許請求の範囲の減縮を目的とするものに該当する。
　また、特許法第１７条の２第３項、第４項に違反するところはない。
　そこで、本件補正後の前記請求項１に記載された発明（以下、「本願補正発明」という。）が特許法第１７条の２第６項において準用する同法第１２６条第７項の規定に適合するか（特許出願の際独立して特許を受けることができるものであるか）について以下に検討する。
（１）刊行物の記載事項
ア　引用刊行物１
（ア）原査定の拒絶の理由に引用された特公昭４９−２８３１９号公報（以下、「引用刊行物１」という。）には、次の事項が記載されている。（下線は、当審において付したものである。）
ａ「本発明の幾多の利点のうち、特筆すべき利点は、
ドウターラジオアイソトープの溶液を形成し容器詰めするための
閉系統
装置
ｂ「図において、第２−５図に１で示されているのは、
ペアレントラジオアイソトープからドウターラジオアイソトープを溶離するための発生器
は、
中央室３と
下方室７と
上方室５とを有するガラス柱を包含する
上下方室５，７は
箔１４により覆われたゴムストッパ１３，１５の
蓋を受けるようになっている。前記箔１４はその一部をはがしてストッパを露出し、針を挿入し得るようになっている
ガラスフィルタ１７は、下方室７の真上で中央室３の下端付近に配置されている
中央室内においては、このフィルター上に、
ペアアレントラジオアイソトープのチャージ１９が置かれ
ｃ「
ミルキングユニット３８及び集積ユニット３９は、発生器の下方室７からの溶離物を密閉された滅菌容器即ちびん４９に密閉滅菌容器詰めする
ｄ「ミルカーユニット上の針６１はゴムストッパ５３に挿入することにより集積ビン４９に挿入される。
必要量の溶離液が滅菌注射器２６の針をゴムストッパ１３に挿入して発生器の上方室５に注入される。
室３，７は、チューブ５７上の針５９がストッパ１５に挿通されたときフィルタ１７にささりペアレントラジオアイソトープのチャージ１９に入るのを防止する
ｅ「
　　　　　　　　　　　　　　　　　」（ＦＩＧ．２）
（イ）　上記ａからｅまでの記載から、引用刊行物１には、以下の発明が記載されていると認められる（以下、「引用発明」という。）。
「ドウターラジオアイソトープの溶液を形成し容器詰めするための閉系統装置であって、
　ペアレントラジオアイソトープからドウターラジオアイソトープを溶離するための発生器は、中央室３と下方室７と上方室５とを有するガラス柱を包含し、
　上下方室５，７は箔１４により覆われたゴムストッパ１３，１５の蓋を受けるようになっており、前記箔１４はその一部をはがしてストッパを露出し、針を挿入し得るようになっており、ガラスフィルタ１７は、下方室７の真上で中央室３の下端付近に配置され、中央室内においては、このフィルター上に、ペアアレントラジオアイソトープのチャージ１９が置かれ、
　ミルキングユニット３８及び集積ユニット３９は、発生器の下方室７からの溶離物を密閉された滅菌容器即ちびん４９に密閉滅菌容器詰めるものであり、
　必要量の溶離液が滅菌注射器２６の針をゴムストッパ１３に挿入して発生器の上方室５に注入されるものであり、
　室３，７は、チューブ５７上の針５９がストッパ１５に挿通されたときフィルタ１７にささりペアレントラジオアイソトープのチャージ１９に入るのを防止する、
装置。」
イ　引用刊行物２
（ア）原査定の拒絶の理由に引用された特開昭５４−１０１０９４号公報（以下、「引用刊行物２」という。）には、次の事項が記載されている。（下線は、当審において付したものである。）
ａ「１．
放射性物質を受容する吸収剤を充填した発生器カラムから成り、導入系または送出系と結合した入口開口または出口開口を有する発生器内において、所望の放射性物質少なくとも１種を洗出するため洗浄溶液を導入系に導入し、所望の放射物質で負荷された洗浄溶液を送出系から放出することができる構造を有する放射性物質分離のため放射性核種発生器において、有効発生器カラム
の入口開口と出口開口
の間の行路を屈曲せしめた
　２．
相互に挿入して組合わせた形状を有する同心カラム部分少なくとも２個
によつて発生器カラム
を構成せしめ、その各部分が軸方向の端末においてそれぞれ隣接するカラム部分に連結し、入口開口と出口開口
がそれぞれカラム部分の軸方向の他の端末に位置した
ｂ「７．
連続的径路で連結した少なくとも２個の互に並行した区画
により発生カラム
を構成せしめ、その入口開口と出口開口を、連続的径路からある距離を隔てて位置させた
ｃ「１２．
発生器カラムを、屈曲したパイプ形状に設計し、パイプの両端末にそれぞれ入口開口および出口開口を位置させた
　１３．パイプを
らせん形
ｄ「本発明は発生器カラムにおける上記のよう
分離効果のために
ｅ
「
　　　　　　　　　　　　　　　　　　　　　　　　」（ＦＩＧ．２，３）
（イ）そうすると、引用刊行物２には、
「放射性物質を受容する吸収剤を充填した発生器カラムから成り、導入系または送出系と結合した入口開口または出口開口を有する発生器内において、所望の放射性物質少なくとも１種を洗出するため洗浄溶液を導入系に導入し、所望の放射物質で負荷された洗浄溶液を送出系から放出することができる構造を有する放射性物質分離のため放射性核種発生器において、
　分離効果のために、有効発生器カラムの入口開口と出口開口の間の行路を屈曲せしめる構成として、
（ａ）相互に挿入して組合わせた形状を有する同心カラム部分少なくとも２個によつて発生器カラムを構成せしめ、その各部分が軸方向の端末においてそれぞれ隣接するカラム部分に連結し、入口開口と出口開口がそれぞれカラム部分の軸方向の他の端末に位置した構成、
（ｂ）連続的径路で連結した少なくとも２個の互に並行した区画により発生カラムを構成せしめ、その入口開口と出口開口を、連続的径路からある距離を隔てて位置させた構成、
又は（ｃ）発生器カラムを、らせん形に屈曲したパイプ形状に設計し、パイプの両端末にそれぞれ入口開口および出口開口を位置させた構成、
とする。」との技術事項が記載されている。
（２）対比
ア　対比・一致点
　本願補正発明と引用発明とを対比すると、引用発明の「ガラス柱」、「ゴムストッパ１３」、「ゴムストッパ１５」、「滅菌注射器２６」、「ミルキングユニット３８及び集積ユニット３９」、「フィルタ１７」は、それぞれ、本願補正発明の「溶出カラム」、「第１の封止部材」、「第２の封止部材」、「溶出溶液供給源」、「捕集システム」、「フィルタ」に相当し、また、引用発明の「ドウターラジオアイソトープの溶液を形成し容器詰めするための閉系統装置」は、本願補正発明の「放射性物質を溶出するシステム」に相当するといえるから、両者は、
「放射性物質を溶出するシステムであって、
　前記放射性物質を囲むように構成される溶出カラムと、
　前記溶出カラムの第１の端部を封止する第１の封止部材と、
　前記溶出カラムの第２の端部を封止する第２の封止部材と、
　第１の流体連通路を介して前記溶出カラムの前記第１の端部に接続した溶出溶液供給源と、
　第２の流体連通路を介して前記溶出カラムの前記第２の端部に接続した捕集システムと、
　前記放射性物質を支持し、前記放射性物質が前記第２の流体連通路に接触するのを防ぐように構成される、前記溶出カラム内のフィルタと、
を備える、システム。」
の点で一致している。
　他方、本願補正発明と引用発明とは、次の点で相違する。
イ　相違点
　本願補正発明は、「前記溶出カラム（１０５）の内側壁に螺旋状に取り付けた複数のフロートリッパ（１７０）」を備えるのに対し、引用発明は、そのような特定がない点。
（３）判断
　上記相違点について検討する。
　引用発明は、ペアレントラジオアイソトープからドウターラジオアイソトープを溶離するための発生器を有する装置に関する発明であるから、引用刊行物２に記載された「放射性物質を受容する吸収剤を充填した発生器カラムから成り、導入系または送出系と結合した入口開口または出口開口を有する発生器内において、所望の放射性物質少なくとも１種を洗出するため洗浄溶液を導入系に導入し、所望の放射物質で負荷された洗浄溶液を送出系から放出することができる構造を有する放射性物質分離のため放射性核種発生器」に関する技術事項を適用することは、当業者が容易に想到し得るものといえる。
　しかしながら、引用刊行物２には、有効発生器カラムの入口開口と出口開口の間の行路を屈曲せしめる構成として、
（ａ）相互に挿入して組合わせた形状を有する同心カラム部分少なくとも２個によつて発生器カラムを構成せしめ、その各部分が軸方向の端末においてそれぞれ隣接するカラム部分に連結し、入口開口と出口開口がそれぞれカラム部分の軸方向の他の端末に位置した構成、
（ｂ）連続的径路で連結した少なくとも２個の互に並行した区画により発生カラムを構成せしめ、その入口開口と出口開口を、連続的径路からある距離を隔てて位置させた構成、
又は（ｃ）発生器カラムを、せん形に屈曲したパイプ形状に設計し、パイプの両端末にそれぞれ入口開口および出口開口を位置させた構成、
が記載されているにとどまり、本願補正発明の「前記溶出カラム（１０５）の内側壁に螺旋状に取り付けた複数のフロートリッパ（１７０）」を備える構成については記載されておらず、また、その構成が、有効発生器カラムの入口開口と出口開口の間の行路を屈曲せしめる構成として技術常識に相当する構成とも認められないから、引用発明に引用刊行物２に記載された技術事項を適用しても、本願補正発明の構成を得ることはできない。
　したがって、本願補正発明は、引用発明及び引用刊行物２に記載された技術事項に基づいて、当業者が容易に発明をすることができたとはいえない。
　また、他に、放射性物質を溶出するシステムにおいて、溶出カラムの内側壁に螺旋状に取り付けた複数のフロートリッパを備える構成を開示する文献はない。
　よって、本願本件補正の補正事項１は、特許法第１７条の２第６項において準用する同法第１２６条第７項の規定に適合する。
３　むすび
　本件補正は、特許法第１７条の２第３項ないし第６項の規定に適合する。
第３　本願発明
　本件補正は上記のとおり、特許法第１７条の２第３項ないし第６項の規定に適合するから、本願の請求項１−９に係る発明は、本件補正により補正された特許請求の範囲の請求項１―９に記載された事項により特定されるとおりのものである。
　そして、本願については、原査定の拒絶理由を検討してもその理由によって拒絶すべきものとすることはできない。　
　また、他に本願を拒絶すべき理由を発見しない。　
　よって、結論のとおり審決する。